(57)【要約】【課題】何時でも何処でも使用できて使い勝手が良い携帯型浄水器を提供する。【解決手段】携帯型浄水器は、携帯し易い寸法を有する筐体１と、濾過装置２とを備える。筐体１は、給水口１４及び出水口１５を有する。給水口１４には、筐体１外の給水管１７が接続される。給水管１７には、外濾過器４が取り付けられる。外濾過器４には、加圧された水源が供給される。濾過装置２は、給水口１４及び出水口１５が両端にそれぞれ接続された筐体１内に配設される。給水管１７は、加圧ポンプに接続され、加圧ポンプにより水源が加圧される。筐体１には、ハンドル１１が取り付けられている。筐体１には、廃水放出口１６が設けられる。濾過装置２には、廃水放出口１６が接続されている。【選択図】図１
0003215463.tif 000002
【実用新案登録請求の範囲】
【請求項１】
携帯し易い寸法を有する筐体と、濾過装置と、を備えた携帯型浄水器であって、
前記筐体は、給水口及び出水口を有し、前記給水口には、前記筐体外の給水管が接続され、前記給水管には、外濾過器が取り付けられ、前記外濾過器には、加圧された水源が供給され、
前記濾過装置は、前記給水口及び前記出水口が両端にそれぞれ接続された前記筐体内に配設されることを特徴とする携帯型浄水器。
【請求項２】
前記給水管は、加圧ポンプに接続され、
前記加圧ポンプにより前記水源が加圧されることを特徴とする請求項１に記載の携帯型浄水器。
【請求項３】
前記筐体には、ハンドルが取り付けられていることを特徴とする請求項１に記載の携帯型浄水器。
【請求項４】
前記筐体には、廃水放出口が設けられ、
前記濾過装置には、前記廃水放出口が接続されていることを特徴とする請求項１に記載の携帯型浄水器。
【考案の詳細な説明】
【技術分野】
【０００１】
本考案は、浄水器に関し、特に、携帯性に優れ、屋外で使用し易い携帯型浄水器に関する。
【背景技術】
【０００２】
浄水器（例えば、活性炭フィルター、逆浸透膜などの浄水器）は一般に自宅に設置され、その濾過作用により水中の不純物を取り除いていた。しかし、このような浄水器の部品は複雑で大型である上、内部にポンプが配設されていたため、電源に接続する必要があった。そのため、室内の所定位置に設置しなければならず、使用者が水を汲む場合、浄水器が設置された場所へ行かなければならず、必要に応じて他の場所へ移動させることは容易でなかった。また、屋外での活動（例えば、キャンピング、登山など）を行うときに、水が詰められた容器を携行する場合、荷物が重くなりすぎる虞がある上、家庭用浄水器は、屋外へ持ち運ぶには適しておらず、屋外には使用可能な電源が一般的に無いため、電源供給できずに給水することは困難であった。
【０００３】
また、市販されている携帯型浄水ポットは、その体積が小さめであり、水中の不純物を濾過する簡素な濾過装置が内部に配設され、使用する際、ポット中に水を注ぎ入れると、水の重さにより水がゆっくりと濾過装置を通り、濾過された水がポット底部に溜まる。このような浄水ポットは携帯し易いが、その濾過効果には限界がある上、容量にも限界があるため、一回当たりに作れる水量は十分でない虞があった。また、この浄水ポットは水の重さを利用して水を濾過装置に通して濾過水を作るが、濾過速度が遅いため一度に作れる水量は少なかった。そのため、所望の水量を得るには多くの時間がかかるという欠点があった。
【考案の概要】
【考案が解決しようとする課題】
【０００４】
本考案の主な目的は、携帯し易いケース又は箱に浄水装置を収容し、浄水装置を屋外へ持ち出して、何時でも何処でも使用できて使い勝手が良い携帯型浄水器を提供することにある。
【課題を解決するための手段】
【０００５】
上記課題を解決するために、本考案の第１の形態によれば、携帯し易い寸法を有する筐体と、濾過装置と、を備えた携帯型浄水器であって、前記筐体は、給水口及び出水口を有し、前記給水口には、前記筐体外の給水管が接続され、前記給水管には、外濾過器が取り付けられ、前記外濾過器には、加圧された水源が供給され、前記濾過装置は、前記給水口及び前記出水口が両端にそれぞれ接続された前記筐体内に配設されることを特徴とする携帯型浄水器が提供される。  
【０００６】
前記給水管は、加圧ポンプに接続され、前記加圧ポンプにより前記水源が加圧されることが好ましい。  
【０００７】
前記筐体には、ハンドルが取り付けられていることが好ましい。  
【０００８】
前記筐体には、廃水放出口が設けられ、前記濾過装置には、前記廃水放出口が接続されていることが好ましい。
【図面の簡単な説明】
【０００９】
【図１】図１は、本考案の第１実施形態に係る携帯型浄水器を示す斜視図である。
【図２】図２は、本考案の一実施形態に係る携帯型浄水器を携行するときの使用状態の説明図である。
【図３】図３は、本考案の第２実施形態に係る携帯型浄水器を示す斜視図である。
【考案を実施するための形態】
【００１０】
（第１実施形態）
図１を参照する。図１は、本考案の第１実施形態に係る携帯型浄水器を示す斜視図である。図１に示すように、本考案の第１実施形態に係る携帯型浄水器は、少なくとも筐体１を備える。筐体１は、携行し易いように、アタッシュケース又はスーツケースの寸法を有し、把持可能なハンドル１１が取り付けられている。筐体１の内部には、収納室１２が設けられ、枢軸を中心に旋回させて収納室１２のドアカバー１３を開いたり閉じたりすることができる。筐体１上には、給水管１７が接続された給水口１４と、給水管１８が接続された出水口１５と、廃水放出管１９が接続された廃水放出口１６と、が設けられる。
【００１１】
収納室１２中には、水源を濾過する濾過装置２が配設される。濾過装置２は、水中の不純物又は浮遊物を除去する活性炭フィルター、逆浸透膜またはその他の従来技術の濾材でもよい。濾過装置２の給水端及び出水端には、筐体１の給水口１４及び出水口１５がそれぞれ接続される。濾過装置２には、濾過過程で発生する廃水を筐体１から排出する廃水放出口１６が接続される。
【００１２】
また、給水管１７の末端には、外部の水道水供給源に接続されるジョイント３が設けられ、水道水が給水管１７に導入されるとともに、筐体１内の濾過装置２により水道水を濾過する。濾過された水源は、出水口１５及び給水管１８から供給される。上述した水道水供給源とは、水道管を介して供給される水道水を指し、輸送圧力が加えられ、水源を濾過装置２へ通して濾過させる。給水管１７上には、外濾過器４が設けられる。外濾過器４は、水源が筐体１へ供給される前に初期濾過を行い、例えば、泥土など顆粒が大きめの浮遊物を除去し、濾過装置２が損壊することを防ぐ。
【００１３】
上述したことから分かるように、本考案の構造は、図２に示すように、使用者がハンドル１１を用いて筐体１を持ち上げ、濾過装置２を携行することができる上、携行して屋外へ持ち出すこともでき、水道水がある場所で水道を直接接続して水道水を濾過し、きれいな水が得られるため、利便性が高い。
【００１４】
（第２実施形態）
図３を参照する。図３に示すように、本考案の第２実施形態に係る携帯型浄水器は、上述した第１実施形態と異なり、給水管１７の末端に加圧ポンプ５が接続されている。加圧ポンプ５内には、未だ濾過されていない水源が詰められ、空気を送り込んで筒内の圧力を高め、圧力により水源が押出されて給水管１７に導入され、外濾過器４の初期濾過を行ってから筐体１内に導入され、濾過装置２により２段階目の濾過を行い、きれいな水が得られる。第２実施形態の応用範囲は、上述した第１実施形態より広く、水を加圧ポンプ５に導入し、発生した圧力により濾過装置２に水を通して濾過を行う。また、加圧ポンプ５は、携行し易い簡易な装置でもよく、筐体１を外して筐体１を別途携行することができるため、本実施形態を使用する際の利便性に悪影響を与えない。
【符号の説明】
【００１５】
１  筐体
２  濾過装置
３  ジョイント
４  外濾過器
５  加圧ポンプ
１１  ハンドル
１２  収納室
１３  ドアカバー
１４  給水口
１５  出水口
１６  廃水放出口
１７  給水管
１８  給水管
１９  廃水放出管
【図１】
0003215463.tif 000003
【図２】
0003215463.tif 000004
【図３】
0003215463.tif 000005